(57)【要約】【課題】２つの単一指向性コンデンサエレメントを有するコンデンサマイクロホンユニットを有する指向周波数応答の良好なハンドヘルド型コンデンサマイクロホンを提供する。【解決手段】第１，第２のコンデンサエレメントを組み合わせてなる音響電気変換器２２０をユニットケース２１０内にロックリング２１３により固定してマイクロホンユニット２００を組み立てる際の後部音響端子側の振動板支持体１２ｂの変形、また、マイクロホンユニット２００とユニット支持部３００との連結時に中継ロッド３４０との当接により生ずる上記振動板支持体１２ｂの変形、これら変形による振動板１１ｂの張力変化を防止するため、ロックリング２１３の締め付け部分と、振動板支持体１２ｂと中継ロッド３４０との接触部分とに、それぞれ導電布２２１を介装する。【選択図】図２
2015012435.tif 000002
【特許請求の範囲】
【請求項１】
ユニットケース内に静電型の音響電気変換器を有するマイクロホンユニットと、上記ユニットケースが着脱可能に連結されるシリンダを有し、上記シリンダ内に音声信号出力用の回路基板が収納されているユニット支持部とを含み、上記ユニット支持部がマイクロホン筐体に支持されているハンドヘルド型のコンデンサマイクロホンにおいて、
上記音響電気変換器は、振動板支持体に張設された振動板と、音孔を有する固定極とをスペーサリングを介して対向的に配置してなる第１，第２の２つのコンデンサエレメントと、ほぼ中央部分に音響抵抗材を含む開口部を有し、上記第１，第２コンデンサエレメントの各固定極間に配置される絶縁座とを備え、
後部音響端子となる振動板側を支持する一方の上記振動板支持体の外面には、導電性と弾力性とを併せ持つ導電布が添設されており、
上記ユニット支持部側には、上記一方の振動板支持体を上記回路基板に電気的に接続する中継ロッドが設けられており、
上記ユニットケースの上記シリンダへの連結時に、上記中継ロッドが上記導電布に接触して上記一方の振動板支持体と上記回路基板とが電気的に接続されることを特徴とするコンデンサマイクロホン。
【請求項２】
上記ユニットケース内に装着され、上記音響電気変換器を上記一方の振動板支持体側から押圧して上記ユニットケース内に固定するロックリングを有し、上記ロックリングと上記一方の振動板支持体との間にも上記導電布が介装されることを特徴とする請求項１に記載のコンデンサマイクロホン。
【請求項３】
上記中継ロッドと上記回路基板との間にも、導電布が配置されていることを特徴とする請求項１または２に記載のコンデンサマイクロホン。
【請求項４】
上記ユニット支持部の上記シリンダ内には、上記回路基板の上面側を音響的に密閉するカバーが設けられており、上記中継ロッドが上記カバーを気密的に貫通していることを特徴とする請求項１ないし３のいずれか１項に記載のコンデンサマイクロホン。
【発明の詳細な説明】
【技術分野】
【０００１】
本発明は、コンデンサマイクロホンに関し、さらに詳しく言えば、後部音響端子に振動板を用いたコンデンサマイクロホンユニットを有するハンドヘルド型のコンデンサマイクロホンに関するものである。
【背景技術】
【０００２】
コンデンサマイクロホンユニットには、後部音響端子に振動板を用いたものがある（例えば、特許文献１参照）。その一例を図４に示し、これについて説明する。
【０００３】
このコンデンサマイクロホンユニット１０は、その基本的な構成として、中央の連結リング２２を介して結合される第１コンデンサエレメント１０ａと第２コンデンサエレメント１０ｂとを備えている。
【０００４】
第１コンデンサエレメント１０ａと第２コンデンサエレメント１０ｂは同一構成であるため、主に第１コンデンサエレメント１０ａについて説明するが、ここでは第２コンデンサエレメント１０ｂの対応する構成要素についてはその参照符号を括弧内に記す。
【０００５】
コンデンサエレメント１０ａ（１０ｂ）は、振動板１１ａ（１１ｂ）が所定のテンションをかけられた状態で張設された振動板支持部材１２ａ（１２ｂ），スペーサリング１３ａ（１３ｂ），固定極１４ａ（１４ｂ）および絶縁座１５ａ（１５ｂ）をこの順序で電気絶縁性でリング状に形成されたケース１６ａ（１６ｂ）内に組み込んでなる。
【０００６】
振動板支持部材１２ａ（１２ｂ）は、振動板１１ａ（１１ｂ）に音波を取り入れる音孔を有する円板体からなり、そのほぼ中央部分には、電極引出端子１２１が取り付けられている。図４には、一つしか示されていないが、固定極１４ａ（１４ｂ）には多数の音孔１４１が穿設されている。
【０００７】
絶縁座１５ａ（１５ｂ）は、固定極１４ａ（１４ｂ）との間に所定容積の空気室が形成されるように周縁部が立ち上げられた皿状に形成されており、その底部の中心には、それぞれ貫通孔１５２が穿設されている。また、絶縁座１５ａ（１５ｂ）の外周面には雄ネジ１５１が形成されている。
【０００８】
上記した構成を有する第１コンデンサエレメント１０ａと第２コンデンサエレメント１０ｂは、絶縁座１５ａ，１５ｂを背中合わせとして、それらの雄ネジ１５１，１５１を連結リング２１の雌ネジ２２１に螺合させることにより相互に結合されるが、その際、絶縁座１５ａと絶縁座１５ｂの間には、上記貫通孔１５２に対してそれよりも大径である音響抵抗材３１が同軸的に配置される。すなわち、絶縁座１５ａ，１５ｂの各貫通孔１５２は音響抵抗材３１によって音響的に接続されている。なお、音響抵抗材３１の周りに、音漏れ防止用のガスケット３２が配置される。
【０００９】
この構成によれば、連結リング２１に対する絶縁座１５ａ，１５ｂのねじ込み量によって音響抵抗材３１の圧縮量、すなわち音響抵抗値を可変とすることができるため、第１コンデンサエレメント１０ａと第２コンデンサエレメント１０ｂとを組み立てた状態において、振動板１１ａと振動板１１ｂとの間の音響抵抗値を調整することができる。
【００１０】
このコンデンサマイクロホンユニット１０によれば、コンデンサエレメント１０ａ，１０ｂともに単一指向性であるため、例えば特許文献２に記載されているように、各コンデンサエレメント１０ａ，１０ｂに対して印加する電圧のかけ方により、その指向性を変化させることができる。また、第１コンデンサエレメント１０ａ側の振動板１１ａを前部音響端子とすれば、第２コンデンサエレメント１０ｂ側の振動板１１ｂは後部音響端子として作用することになる。
【先行技術文献】
【特許文献】
【００１１】
【特許文献１】特開２００５−１８４３４７号公報（図１，図２）
【特許文献２】特開平７−１４３５９５号公報
【発明の概要】
【発明が解決しようとする課題】
【００１２】
上記コンデンサマイクロホンユニット１０によれば、第１コンデンサエレメント１０ａおよび第１コンデンサエレメント１０ｂともに、その振動板支持体１２ａ，１２ｂに電極引出端子１２１を取り付けて音声信号を得るようにしているため、このままでは、ハンドヘルド型（手持ち式）のコンデンサマイクロホンに適用することが困難であるため、従来ではもっぱらサイドエントリー型に限られていた。
【００１３】
そこで、本発明の課題は、上記のように２つの単一指向性コンデンサエレメントを有するコンデンサマイクロホンユニットをハンドヘルド型コンデンサマイクロホンに適用可能とすることにある。
【課題を解決するための手段】
【００１４】
上記課題を解決するため、本発明は、ユニットケース内に静電型の音響電気変換器を有するマイクロホンユニットと、上記ユニットケースが着脱可能に連結されるシリンダを有し、上記シリンダ内に音声信号出力用の回路基板が収納されているユニット支持部とを含み、上記ユニット支持部がマイクロホン筐体に支持されているハンドヘルド型のコンデンサマイクロホンにおいて、
上記音響電気変換器は、振動板支持体に張設された振動板と、音孔を有する固定極とをスペーサリングを介して対向的に配置してなる第１，第２の２つのコンデンサエレメントと、ほぼ中央部分に音響抵抗材を含む開口部を有し、上記第１，第２コンデンサエレメントの各固定極間に配置される絶縁座とを備え、後部音響端子となる振動板側を支持する一方の上記振動板支持体の外面には、導電性と弾力性とを併せ持つ導電布が添設されており、上記ユニット支持部側には、上記一方の振動板支持体を上記回路基板に電気的に接続する中継ロッドが設けられており、上記ユニットケースの上記シリンダへの連結時に、上記中継ロッドが上記導電布に接触して上記一方の振動板支持体と上記回路基板とが電気的に接続されることを特徴としている。
【００１５】
さらに本発明は、上記ユニットケース内に装着され、上記音響電気変換器を上記一方の振動板支持体側から押圧して上記ユニットケース内に固定するロックリングを有し、上記ロックリングと上記一方の振動板支持体との間にも上記導電布が介装されることを特徴としている。
【００１６】
本発明において、上記中継ロッドと上記回路基板との間にも導電布が配置されていることが好ましい。
【００１７】
また、本発明には、上記ユニット支持部の上記シリンダ内には、上記回路基板の上面側を音響的に密閉するカバーが設けられており、上記中継ロッドが上記カバーを気密的に貫通している態様も含まれる。
【発明の効果】
【００１８】
本発明によれば、ユニットケースをシリンダに連結するに伴って、後部音響端子となる振動板側を支持する一方の振動板支持体と回路基板とが中継ロッドを介して電気的に接続されるが、中継ロッドは導電布を介して振動板支持体に接触するため、振動板支持体に振動板の張力を変化させるような応力が加わらず、指向周波数応答が劣化しない。
【００１９】
また、ロックリングと上記振動板支持体との間にも導電布を介装することにより、ロックリングにより加えられる締め付け応力が分散されるため、ロックリングによる音響電気変換器の固定時にも振動板支持体が変位せず、指向周波数応答が劣化しない。
【００２０】
また、中継ロッドと回路基板との間にも導電布を配置することにより、上記振動板支持体と回路基板との電気的接続が安定する。
【００２１】
また、ユニット支持部のシリンダ内に回路基板の上面側を音響的に密閉するカバーを設けることにより、外来音波による回路基板の振動が防止され、回路基板の振動によって発生するノイズをなくすことができる。
【図面の簡単な説明】
【００２２】
【図１】本発明の実施形態に係るコンデンサマイクロホンの最終組立状態を示す断面図。
【図２】上記コンデンサマイクロホンにおけるマイクロホンユニットとユニット支持部とを分離して示す断面図。
【図３】上記コンデンサマイクロホンにおけるマイクロホンユニットの分解断面図。
【図４】後部音響端子に振動板を用いたコンデンサマイクロホンユニットを示す断面図。
【発明を実施するための形態】
【００２３】
次に、図１ないし図４の各図面を参照して、本発明の実施形態について説明するが、本発明は、これに限定されるものではない。
【００２４】
図１および図２に示すように、この実施形態に係るコンデンサマイクロホンは、基本的な構成として、マイクロホンユニット２００と、ユニット支持部３００と、マイクロホン筐体４００とを備えたハンドヘルド（手持ち式）コンデンサマイクロホンである。
【００２５】
図３を併せて参照して、マイクロホンユニット２００は、アルミニウムや黄銅合金等の金属材からなるユニットケース２１０を備えている。ユニットケース２１０は、円筒状であって、その前端側（収音時に音源側に向けられる側で、図３では上端側）に、内径側に張り出された係合用の段部２１１が形成され、また、後端側は円筒のまま開口されていて、その内周面には雌ネジ２１２が形成されている。
【００２６】
ユニットケース２１０内には、静電型の音響電気変換器２２０が収納されるが、本発明において、音響電気変換器２２０には、先の図４で説明した形式のコンデンサマイクロホンユニット１０が用いられる。
【００２７】
再び図４を参照して、音響電気変換器２２０（１０）は、中央の連結リング２２を介して相互に結合される第１コンデンサエレメント１０ａと第２コンデンサエレメント１０ｂとを備えている。
【００２８】
第１コンデンサエレメント１０ａと第２コンデンサエレメント１０ｂは同一構成であるため、主に第１コンデンサエレメント１０ａについて説明する。なお、第２コンデンサエレメント１０ｂの対応する構成要素についてはその参照符号を括弧内に記す。
【００２９】
コンデンサエレメント１０ａ（１０ｂ）は、振動板１１ａ（１１ｂ）が所定のテンションをかけられた状態で張設された振動板支持部材１２ａ（１２ｂ），スペーサリング１３ａ（１３ｂ），固定極１４ａ（１４ｂ）および絶縁座１５ａ（１５ｂ）を、この順序で電気絶縁性でリング状に形成されたケース１６ａ（１６ｂ）内に組み込んでなる。
【００３０】
振動板支持部材１２ａ（１２ｂ）は、振動板１１ａ（１１ｂ）に音波を取り入れる音孔を有し、レゾネータとしても機能する導電性の円板体からなるが、先の図４とは異なり、それ自体が電極端子板として用いられ、図１ないし図３に示されているように、電極引出端子１２１は取り付けられていない。
【００３１】
なお、振動板支持部材１２ａ（１２ｂ）の周縁部分に、振動板１１ａ（１１ｂ）が張設されるため、振動板支持部材１２ａ（１２ｂ）の変位によって振動板１１ａ（１１ｂ）の張力が変化すると、指向周波数応答が劣化する。
【００３２】
図４には、一つしか示されていないが、固定極１４ａ（１４ｂ）には多数の音孔１４１が穿設されている。固定極１４ａ（１４ｂ）は、例えば多孔のアルミニウム材から形成されてよい。
【００３３】
絶縁座１５ａ（１５ｂ）は、固定極１４ａ（１４ｂ）との間に所定容積の空気室が形成されるように周縁部が立ち上げられた皿状に形成されており、その底部の中心には、それぞれ貫通孔１５２が穿設されている。また、絶縁座１５ａ（１５ｂ）の外周面には雄ネジ１５１が形成されている。
【００３４】
上記した構成を有する第１コンデンサエレメント１０ａと第２コンデンサエレメント１０ｂは、絶縁座１５ａ，１５ｂを背中合わせとして、それらの雄ネジ１５１，１５１を連結リング２１の雌ネジ２２１に螺合させることにより相互に結合されるが、その際、絶縁座１５ａと絶縁座１５ｂの間には、上記貫通孔１５２に対してそれよりも大径である音響抵抗材３１が同軸的に配置される。
【００３５】
このようにして、絶縁座１５ａ，１５ｂの各貫通孔１５２は、音響抵抗材３１によって音響的に接続されるが、絶縁座１５ａ，１５ｂの間からの音漏れを防止するため、音響抵抗材３１の周りに音漏れ防止用のガスケット３２が配置されることが好ましい。
【００３６】
この構成によれば、連結リング２１に対する絶縁座１５ａ，１５ｂのねじ込み量によって音響抵抗材３１の圧縮量、すなわち音響抵抗値を可変とすることができるため、第１コンデンサエレメント１０ａと第２コンデンサエレメント１０ｂとを組み立てた状態において、振動板１１ａと振動板１１ｂとの間の音響抵抗値を調整することができる。
【００３７】
なお、絶縁座１５ａ，１５ｂは一体として形成されてもよく、その場合には、中央の連結リング２２は不要で、両コンデンサエレメント１０ａ，１０ｂをそれらのケース１６ａ（１６ｂ）を介して一体とされた絶縁座に組み付ければよい。
【００３８】
このように、第１および第２の２つのコンデンサエレメント１０ａ，１０ｂを有する場合、一方のコンデンサエレメントの振動板を前部音響端子とすれば、他方のコンデンサエレメントの振動板は後部音響端子となる。
【００３９】
この実施形態において、音響電気変換器２２０は、第１コンデンサエレメント１０ａがユニットケース２１０の前端側、第２コンデンサエレメント１０ｂがユニットケース２１０の後端側に配置されることから、第２コンデンサエレメント１０ｂの振動板１１ｂが後部音響端子となる。
【００４０】
音響電気変換器２２０は、ユニットケース２１０の後端部に装着されるロックリング２１３の締め付け力によって、ユニットケース２１０内に固定される。
【００４１】
この実施形態において、ロックリング２１３は、第２コンデンサエレメント１０ｂのケース１６ｂ側を支持する断面Ｌ字状を呈し、その外周面に上記雌ネジ２１２と螺合する雄ネジ２１３ａを有する金属製の雄ネジリングであり、その回し具合によって音響電気変換器２２０の締め付け力を調整することができる。
【００４２】
ロックリング２１３による固定時に、第１コンデンサエレメント１０ａの振動板支持体１２ａは、係合用の段部２１１と強固に接触し、第１コンデンサエレメント１０ａの音声信号は、振動板支持体１２ａからユニットケース２１０を介して取り出される。
【００４３】
これに対して、ロックリング２１３は金属製であるが、第２コンデンサエレメント１０ｂのケース１６ｂは電気絶縁材よりなるため、第２コンデンサエレメント１０ｂはユニットケース２１０とは非導通である。
【００４４】
ユニット支持部３００は、金属材よりなるシリンダ３１０を備えている。シリンダ３１０内には、回路基板３２０が配置されている。詳しくは図示されていないが、回路基板３２０には、インピーダンス変換器としてのＦＥＴ（電界効果トランジスタ）等を含む音声信号出力部３２１が実装されている。
【００４５】
シリンダ３１０の上端には、ユニットケース２１０の雌ネジ２１２と螺合する雄ネジ３１１が形成されており、シリンダ３１０に対してユニットケース２１０（マイクロホンユニット２００）が着脱可能に連結される。また、シリンダ３１０の側面上端側には、後方音源として音波を音響電気変換器２２０の後部音響端子に取り込むための開口部３１２が穿設されている。
【００４６】
シリンダ３１０内には、開口部３１２から入り込む音波によって回路基板３２０が振動（特には微振動）を起こさないように、回路基板３２０の上面側を音響的に密閉するカバー３３０が設けられている。回路基板３２０が振動すると、音声出力信号にノイズが含まれることがある。
【００４７】
この実施形態において、カバー３３０はドーム形状で、その中央部分には中継ロッド３４０が貫設されている。中継ロッド３４０は、シリンダ３１０にユニットケース２１０が連結された際、第２コンデンサエレメント１０ｂの振動板支持体１２ｂと回路基板３２０とを電気的に接続する。
【００４８】
シリンダ３１０は、その下方部分（回路基板３２０よりも下側部分）にマイクロホン筐体４００内に挿入される小径の円筒基部３１３を一体に備え、円筒基部３１３の部分で防振手段４１０を介してマイクロホン筐体４００に弾性的に保持される。
【００４９】
この実施形態において、防振手段４１０は、円筒基部３１３の上端側を支持する第１ショックマウント４１０ａと、円筒基部３１３の下端側を支持する第２ショックマウント４１０ｂの２つのショックマウントを含む。各ショックマウント４１０ａ，４１０ｂともにゴム弾性を有する円盤体からなる。
【００５０】
また、図１，図２に示すように、円筒基部３１３内の空気室Ａ１とマイクロホン筐体４００内の空気室Ａ２は、落下衝撃時における収音軸方向の衝撃を和らげるため、互いに連通している。
【００５１】
なお、この実施形態において、マイクロホン筐体４００下端には雄ネジ４０１が形成されており、製品としての実使用時には、図示しないマイクグリップ（好ましくは出力コネクタを有するマイクグリップ）が上記雄ネジ４０１を介して連結される。
【００５２】
この実施形態によれば、ユニットケース２１０の雌ネジ２１２と、シリンダ３１０の雄ネジ３１１とを介してマイクロホンユニット２００をユニット支持部３００に連結することにより、マイクロホンユニット２００内の第１コンデンサエレメント１０ａ側の音声信号が、その振動板支持体１２ａからユニットケース２１０およびシリンダ３１０を介して回路基板３２０の図示しない一方の入力端子に入力される。
【００５３】
これに対して、第２コンデンサエレメント１０ｂ側の音声信号は、上記とは別系統として、その振動板支持体１２ｂおよび中継ロッド３４０を介して回路基板３２０の図示しない他方の入力端子に入力される。
【００５４】
したがって、この実施形態によれば、図４に示した２つの単一指向性コンデンサエレメント１０ａ，１０ｂを有するコンデンサマイクロホンユニット１０を、その基本的構成を大幅に変更することなくコンパクト化して、本発明における静電型の音響電気変換器２２０としてハンドヘルド型コンデンサマイクロホンに適用することができる。
【００５５】
ところで、上記の態様では、音響電気変換器２２０をユニットケース２１０内に固定するにあたって、第２コンデンサエレメント１０ｂ側の振動板支持体１２ｂをロックリング２１３にて締め付けるようにしているため、その締め付け応力によって振動板支持体１２ｂが歪んで変位し、これにより振動板１１ｂの張力が変化し、指向周波数応答が劣化することがある。
【００５６】
同様に、中継ロッド３４０が第２コンデンサエレメント１０ｂ側の振動板支持体１２ｂに当接する際、その当接力によっては、振動板支持体１２ｂが歪んで変位し、これにより振動板１１ｂの張力が変化し、指向周波数応答が劣化する。特に、中継ロッド３４０は振動板支持体１２ｂの中央部分に当接するため、振動板支持体１２ｂが変形しやすい。
【００５７】
そこで、本発明では、図３に示すように、第２コンデンサエレメント１０ｂ側の振動板支持体１２ｂの外面（図３において下面）に、好ましくは、その外面全体を覆うように導電布２２１を添設する。
【００５８】
導電布２２１は導電不織布とも呼ばれ、繊維の柔軟性と金属の導電性を兼ね備えた機能性コンホジット材で、例えばセーレン社製の品番Ｓｕ−８０−７０５等がある。
【００５９】
これによれば、音響電気変換器２２０をロックリング２１３の締め付け力にてユニットケース２１０内に固定する際、ロックリング２１３と第２コンデンサエレメント１０ｂとの間に導電布２２１が挟まれ、その弾力によって音響電気変換器２２０に加わる応力が分散される。
【００６０】
したがって、マイクロホンユニット２００の組立時におけるロックリング２１３の締め付け力による振動板支持体１２ｂの変形、この変形による後部音響端子側の振動板１１ｂの張力変化を防止することができる。
【００６１】
また、ユニットケース２１０をシリンダ３１０に螺合させてマイクロホンユニット２００をユニット支持部３００に連結する際、中継ロッド３４０は導電布２２１に接触し、第２コンデンサエレメント１０ｂの振動板支持体１２ｂには直接接触しないため、ユニットケース２１０をシリンダ３１０に強く螺合させても、振動板支持体１２ｂの変形による後部音響端子側の振動板１１ｂの張力変化を防止することができる。
【００６２】
なお、中継ロッド３４０と回路基板３２０との間にも導電布３２２を介装させることにより、振動板支持体１２ｂと回路基板３２０との電気的接続をより安定なものとすることができる。導電布２２１，３２２の電気抵抗値は数Ω程度であるため、回路設計上問題なく導電布を使用することができる。
【００６３】
以上説明したように、本発明によれば、２つの単一指向性コンデンサエレメントを有するコンデンサマイクロホンユニットをハンドヘルド型コンデンサマイクロホンに適用するにあたって、特に後部音響端子となる振動板の張力変化を気遣うことなく、マイクロホンユニットの組立およびマイクロホンユニットのユニット支持部への連結（マイクロホンユニットの交換）を行うことができる。
【符号の説明】
【００６４】
１０  コンデンサマイクロホンユニット
１０ａ  第１コンデンサエレメント
１０ｂ  第２コンデンサエレメント
１１ａ，１１ｂ  振動板
１２ａ，１２ｂ  振動板支持体
１４ａ，１４ｂ  固定極
１５ａ，１５ｂ  絶縁座
１６ａ，１６ｂ  ケース
２００  マイクロホンユニット
２１０  ユニットケース
２２０  音響電気変換器
２２１，３２２  導電布
２１３  ロックリング
３００  ユニット支持部
３１０  シリンダ
３２０  回路基板
３３０  カバー
３４０  中継ロッド
４００  マイクロホン筐体（マイクグリップ）
４１０ａ，４１０ｂ  ショックマウント
【図１】
2015012435.tif 000003
【図２】
2015012435.tif 000004
【図３】
2015012435.tif 000005
【図４】
2015012435.tif 000006